【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
患者の体内の標的組織領域内にマーカを位置を特定するシステムにおいて：
患者の体内に前記マーカにむけてレーダ信号を送信し、前記マーカからの反射信号を受信する一又はそれ以上のアンテナと、前記患者の体内に赤外光パルスを送達して前記マーカにその反射特性を変化させる光源とを具えるプローブと;
実質的に連続波を生成する信号発生器と、
前記信号発生器に接続され、前記波を第１及び第２の信号に分割する分割器であって、前記第１の信号が一又はそれ以上のアンテナに送達され、実質的に連続した送信信号を送信する分割器と、
前記分割器に接続されて前記第２の信号を受信し、前記一又はそれ以上のアンテナに接続されて前記反射信号を受信する混合器であって、前記第２の信号と前記反射信号とを混合して、光パルスによって生じる反射信号の振幅と位相の変調に関連する成分を具え、前記マーカの反射特性を変化させるＩＦ信号を生成する混合器と；
前記混合器に接続され、前記ＩＦ信号を処理して、前記光源によって送達された光パルスに同期した振幅と位相の前記変調に少なくとも部分的に基づいて、前記一又はそれ以上のアンテナから前記マーカへの範囲を表わす出力を提供する同期変調検出器を具えるプロセッサと；
を具えることを特徴とするシステム。
【請求項２】
請求項１に記載のシステムが更に、前記プロセッサに接続され、前記範囲に対応する出力をユーザに提供する出力デバイスを具えることを特徴とするシステム。
【請求項３】
請求項２に記載のシステムにおいて、前記出力デバイスが、スピーカ及びディスプレイのうちの少なくとも１つを具えることを特徴とするシステム。
【請求項４】
請求項１乃至３のいずれか一項に記載のシステムが更に、前記電力分割器からの第１の信号を増幅して、前記一又はそれ以上のアンテナによって送信される送信信号を生成する第１の増幅器を具えることを特徴とするシステム。
【請求項５】
請求項４に記載のシステムが更に、前記一又はそれ以上のアンテナと前記混合器との間に接続され、前記混合器に送達される反射信号を増幅する第２の増幅器を具えることを特徴とするシステム。
【請求項６】
請求項１乃至５のいずれか一項に記載のシステムにおいて、前記一又はそれ以上のアンテナが、前記電力分割器に接続され、前記第１の信号を受信して前記送信信号を送信する送信アンテナと、前記混合器に接続され前記反射信号を受信する受信アンテナとを具えることを特徴とするシステム。
【請求項７】
請求項１乃至５のいずれか一項に記載のシステムにおいて、前記一又はそれ以上のアンテナが、送信／受信アンテナと、前記信号生成器に接続され、前記第１の信号を前記送信／受信アンテナに送達するとともに、前記混合器に接続され、前記送信／受信アンテナから前記混合器へリターン信号を送達するサーキュレータ回路と、を具えることを特徴とするシステム。
【請求項８】
請求項１乃至７のいずれか一項に記載のシステムが更に、前記混合器に接続されて、前記混合器から前記プロセッサに送達された前記ＩＦ信号をフィルタリングして増幅する一又はそれ以上のフィルタ及び増幅器を具えることを特徴とするシステム。
【請求項９】
請求項８に記載のシステムが更に、前記同期変調検出器によって処理される前に、前記混合器からの前記ＩＦ信号をデジタル化するアナログ／デジタル変換器を具えることを特徴とするシステム。
【請求項１０】
請求項１乃至９のいずれか一項に記載のシステムにおいて、前記混合器が、前記波に対応するリターン信号から高周波成分を除去して前記ＩＦ信号を生成するように構成されていることを特徴とするシステム。
【請求項１１】
患者の体内の標的組織領域内にマーカを位置を特定するシステムにおいて：
患者の体内にマーカに向けてレーダ信号を送信し、マーカからの反射信号を受信する一又はそれ以上のアンテナと、赤外光パルスを前記患者の体内に送達して前記マーカにその反射特性を変化させる光源と、を具えるプローブと；
実質的に連続波を生成する信号発生器と、
前記信号発生器に接続され、前記波を第１及び第２の信号に分割する分割器であって、前記第１の信号が前記一又はそれ以上のアンテナに送達されて実質的に連続した送信信号を送信する分割器と；
前記分割器に接続され、前記第２信号を受信して当該第２信号と位相が異なるレプリカ信号を生成する位相スプリッタと；
前記位相スプリッタに接続されて前記第２の信号及び前記レプリカ信号をそれぞれ受信するとともに、前記一又はそれ以上のアンテナに接続されて前記反射信号を受信し、前記第１の混合器が前記第２の信号と前記反射信号を混合し、前記第２の混合器が前記レプリカ信号と前記反射信号を混合して、マーカの反射特性を変化させる光パルスによって生じる前記反射信号の振幅と位相の変調に関連する成分を含むＩＦ信号を生成する、第１及び第２の混合器と；
前記混合器に接続されたプロセッサであって、前記ＩＦ信号を処理して、前記光源によって送達された光パルスと同期する振幅と位相の変調に少なくとも部分的に基づいて、前記一又はそれ以上のアンテナから前記マーカへの範囲を表わす出力を提供する同期変調検出器を具えるプロセッサと；
を具えることを特徴とするシステム。
【請求項１２】
請求項１１に記載のシステムにおいて、前記第１及び第２の混合器が、前記波に対応するリターン信号から高周波成分を除去して前記ＩＦ信号を生成するように構成されていることを特徴とするシステム。
【請求項１３】
請求項１１又は１２に記載のシステムが更に、前記混合器及び前記プロセッサに接続された一又はそれ以上のフィルタ及び増幅器を具え、前記混合器から前記プロセッサに送達されたＩＦ信号をフィルタリングして増幅することを特徴とするシステム。
【請求項１４】
請求項１３に記載のシステムが更に、前記同期変調検出器によって処理される前に、前記混合器からのＩＦ信号を同時にデジタル化するアナログ／デジタル変換器を具えることを特徴とするシステム。
【請求項１５】
請求項１１乃至１４のいずれか一項に記載のシステムが更に、前記プロセッサに接続された出力デバイスを具え、前記範囲に対応する出力をユーザに提供することを特徴とするシステム。
【請求項１６】
請求項１１乃至１５のいずれか一項に記載のシステムが更に、前記電力分割器からの前記第１の信号を増幅して、前記一又はそれ以上のアンテナによって送信された前記送信信号を生成する第１の増幅器を具えることを特徴とするシステム。
【請求項１７】
請求項１６に記載のシステムが更に、前記一又はそれ以上のアンテナと前記混合器との間に接続され、前記混合器に送達される反射信号を増幅する第２の増幅器を具えることを特徴とするシステム。
【請求項１８】
請求項１１乃至１７のいずれか一項に記載のシステムにおいて、前記一又はそれ以上のアンテナが、前記電力分割器に接続され、前記第１の信号を受信して前記送信信号を送信する送信アンテナと、前記混合器に接続され、前記反射信号を受信する受信アンテナとを具えることを特徴とするシステム。
【請求項１９】
請求項１１乃至１７のいずれか一項に記載のシステムにおいて、前記一又はそれ以上のアンテナが、送信／受信アンテナと、前記信号発生器に接続され、前記第１の信号を当該送信／受信アンテナに送り、前記混合器に接続されて送信／受信アンテナからのリターン信号を前記混合器に送達するサーキュレータ回路とを具えることを特徴とするシステム。
【請求項２０】
請求項１１乃至１９のいずれか一項に記載のシステムにおいて、前記プロセッサが、前記ＩＦ信号を処理して、ａ）最初に、前記リターン信号における振幅の変調に基づいて前記マーカを認識し、ｂ）前記マーカを認識した後、前記リターン信号の振幅と位相の変調に基づいて、前記プローブからマーカまでの距離を推定する、ように構成されていることを特徴とするシステム。